(57)【要約】【課題】  ホログラフィックデジタルデータ記録システムの小型化を可能にするようなホログラフィック媒体にデジタルデータを記録するための装置及びその方法を提供する。【解決手段】  信号光を変調させて変調信号光を生成するマスクと、参照光を屈折させて屈折参照光を生成するための、円錐部及び底部を含むコニカルプリズムコニカルプリズムとを含み、底部が面したホログラフィック媒体内で屈折参照光と変調信号光とが干渉し、それによってホログラフィック媒体上にデータを記録するような装置を提供する。【選択図】  図２
2004334178.tif 000002
【特許請求の範囲】
【請求項１】
ホログラフィック装置であって、
信号光を変調して変調信号光を生成するためのマスクと、
参照光を屈折させて屈折参照光を生成するための、円錐部及び底部を含むコニカルプリズムとを含み、
前記屈折参照光が、前記底部が面したホログラフィック媒体内で前記変調信号光と干渉し、それによって前記ホログラフィック媒体上にデータを記録することを特徴とするホログラフィック装置。
【請求項２】
前記屈折参照光の光路が、前記コニカルプリズムの屈折率に依存することを特徴とする請求項１に記載のホログラフィック装置。
【請求項３】
前記コニカルプリズムが、多重化のため、異なる底角を有する別のプリズムに代替されることを特徴とする請求項１に記載のホログラフィック装置。
【請求項４】
前記コニカルプリズムの媒質の屈折率をｎ、前記コニカルプリズムの底角をａ、前記ホログラフィック媒体の入射角をｄとしたとき、前記屈折参照光の光路が、
sin―１［ｎsin｛ａ−sin―１（sinａ／ｎ）｝］ ＝ ｄ
の関係を満たして制御されることを特徴とする請求項１に記載のホログラフィック装置。
【請求項５】
前記コニカルプリズムに投影される前記参照光のフルサイズの２分の１をＸ１、前記コニカルプリズムの前記底部での前記屈折参照光のサイズをＸ２、前記ホログラフィック媒体の前記記録領域の外径と内径の差の２分の１をＸ３としたとき、前記ホログラフィック媒体の入射角ｄが、
Ｘ２ ＝ Ｘ１／cosｄ ＞ Ｘ３
の関係を満たすことを特徴とする請求項４に記載のホログラフィック装置。
【請求項６】
前記コニカルプリズムと前記ホログラフィック媒体の間の距離が、多重化のために変えられることを特徴とする請求項１に記載のホログラフィック装置。
【請求項７】
前記ホログラフィック媒体への入射角をｄ、前記コニカルプリズムの前記底部での前記屈折参照光のサイズをＸ２、前記コニカルプリズムと前記ホログラフィック媒体の間の前記距離をＹとしたとき、前記距離が、
tanｄ＝ Ｘ２／Ｙ
の関係を満たすことを特徴とする請求項６に記載のホログラフィック装置。
【請求項８】
ホログラフィック装置であって、
レーザ光を放射する光源と、
前記レーザ光を参照光と信号光に分けるビームスプリッタと、
前記信号光を変調させて変調信号光を生成するマスクと、
前記参照光を屈折させて屈折参照光を生成する屈折器とを含み、
前記屈折参照光が、ホログラフィック媒体内で前記変調信号光と干渉し、それによって前記ホログラフィック媒体上にデータを記録することを特徴とするホログラフィック装置。
【請求項９】
前記屈折器が、前記屈折参照光が前記ホログラフィック媒体上に円錐状に拡散されるようなコニカルプリズムであることを特徴とする請求項８に記載のホログラフィック装置。
【請求項１０】
ホログラフィーの方法であって、
（ａ）レーザ光を発生させる過程と、
（ｂ）前記レーザ光を参照光と信号光に分ける過程と、
（ｃ）前記信号光を変調させて変調信号光を生成するとともに、前記参照光を屈折させて屈折参照光を生成する過程とを含み、
前記屈折参照光が、ホログラフィック媒体内で前記変調信号光と干渉し、それによって前記ホログラフィック媒体上にデータを記録することを特徴とするホログラフィック方法。
【発明の詳細な説明】
【技術分野】
【０００１】
本発明は、ＲＯＭシステムなどのホログラフィックデジタルデータ記録システムに係り、より詳しくは、コニカルプリズムなどの、ホログラフィックデジタルデータ記録システムの小型化を可能にするようなホログラフィック媒体にデジタルデータを記録するための装置及びその方法に関するものである。
【背景技術】
【０００２】
従来のホログラフィックデジタルデータ記録システムは、一般に、ページ単位の記録方式を採用する。ＳＬＭ（空間光変調器）のような入力装置は、ページと呼ばれる二次元アレイの形態を有する記録データを与える。ページ単位に代えてビット単位で記録されるような他のアーキテクチャも提案されてきた。しかし、このようなシステムは全て、メモリの容量を満たすため、膨大な数の個々のホログラムの記録を必要とするという共通の欠点がある。メガビットサイズのアレイを使用する典型的なページ単位のシステムは、１００ＧＢまたはそれ以上の容量を満たすために、数十万個のホログラムページの記録を必要とすることになる。ホログラムの露出時間がミリセカンドオーダでも、１００ＧＢオーダのメモリを満たすのに必要な総記録時間は、数時間には及ばないとしても優に少なくとも数十分にはなり得る。それ故に、１００ＧＢ程度の容量を有するディスクを製造するのにかかる時間を１分以下、ことによると数秒のオーダまで減少させ得るような、図１−Ａのような他の形態の従来のホログラフィックＲＯＭシステムが開発された。
【０００３】
図１−Ａに示すような従来のホログラフィック記録システム（Ernest Chuangらの米国特許出願第US2003/0161246A1号「ホログラフィックディスク記録システム」を参照）は、光源１００と、ＨＷＰ（１／２波長板）１０２、１１２と、光拡張器１０４と、ＰＢＳ（偏光ビームスプリッタ）１０６と、偏光器１０８、１１４と、ミラー１１０、１１６、１１７と、マスク１２２と、ホログラフィック媒体１２０と、コニカルプリズム１１８とを含む。
【０００４】
光源１００は、一定波長、例えば５３２ｎｍの波長を有するようなレーザ光を放射する。１つの直線偏光型、例えばＰ偏光型またはＳ偏光型の何れか一方のレーザ光のみが、ＨＷＰ１０２に与えられる。ＨＷＰ１０２は、レーザ光の偏光を角度θ（好適には４５°）回転させ、偏光回転されたレーザ光は、レーザ光を所与の大きさに拡大させるための光拡張器１０４に与えられる。その後、拡大されたレーザ光は、ＰＢＳ１０６に与えられる。
【０００５】
ＰＢＳ１０６は、異なる屈折率を有する２種以上の材料を繰り返し蒸着することにより製造される構造であって、１つの偏光型のレーザ光、例えばＰ偏光型のレーザ光を透過させ、他の偏光型のレーザ光、例えばＳ偏光型のレーザ光を反射させる役割をする。したがって、ＰＢＳ１０６は、拡大されたレーザ光を、各々異なる偏光型を有するような、透過レーザ光（以下、「信号光」と呼ぶ）と、反射レーザ光（以下、「参照光」と呼ぶ）とに分ける。
【０００６】
信号光、例えばＰ偏光型の信号光は、偏光器１０８に伝達される。偏光器１０８は、信号光の不完全に偏光された要素を除去し、純粋にＰ偏光された信号光のみを透過させ得る。その後、完全な即ち純化された信号光は、ミラー１１０で反射される。反射された信号光は、マスク１２２を経てホログラフィック媒体１２０に照射される。マスク１２２は、記録用データパターンを与えるものであり、空間光変調器（ＳＬＭ）などの入力装置として機能する。
【０００７】
一方、参照光はＨＷＰ１１２に提供される。ＨＷＰ１１２は、参照光の偏光が信号光の偏光と同じになるように参照光の偏光を変える。その後、偏光を変えられた参照光は偏光器１１４に与えられ、偏光器１１４では参照光の偏光が更に純化される。その後、完全な偏光を有する参照光は、ミラー１１６に反射され、次にミラー１１７に順次反射される。その後、反射された参照光は、ホルダ（図示せず）により固定されたコニカルプリズム１１８（円錐と円形底部のなす底角が事前に定められているような、円形底部を有する円錐形状のもの）に照射される。反射された参照光は、コニカルプリズム１１８によりホログラフィック媒体１２０に向けて屈折させられる。ホログラフィック媒体１２０への参照光の入射角は、コニカルプリズム１１８の底角により決定される。
【０００８】
ホログラフィック媒体１２０は、好適には、データパターンを記録するためのディスク形状の物質である。マスク１１２は、ホログラフィック媒体１２０と類似の大きさのディスク形状を有し、ホログラフィック媒体１２０に記録されるデータパターンを与える。法線入射する平面波即ち信号光でマスク１２２を照射すること及び反対側から入射する参照光を用いることによって、回折パターンがホログラフィック媒体１２０に記録される。また、異なる底角を有するコニカルプリズム１１８を用いることによって、角度多重が行われ得る。
【０００９】
図１−Ｂは、図１−Ａの従来のホログラフィック記録システムにおけるコニカルプリズム１１８からホログラフィック媒体１２０までの参照光の光路を示す。
【００１０】
コニカルプリズム１１８の円形底部は、好適にはホログラフィック媒体１２０に平行であり、ホログラフィック媒体１２０には面していない。即ち、コニカルプリズム１１８の頂点がホログラフィック媒体１２０に面している。ホログラフィック媒体１２０は、その中心に孔領域１２０ｂが設けられ、孔領域１２０ｂの周囲に環状の記録領域１２０ａが設けられる。また、ホログラフィック媒体１２０の対称軸は、コニカルプリズム１１８の対称軸と一致し、コニカルプリズム１１８の頂点を通過する。
【００１１】
図１−Ｂに示すように、半径Ｗ１の参照光は、コニカルプリズム１１８の円形底部に衝当する。参照光は、ホログラフィック媒体１２０の法線方向即ち円形底部の法線方向（第１伝搬方向）に伝搬する。第１伝搬方向は円形底部に垂直であるので、参照光は円形底部で屈折しない。したがって、参照光はまた、コニカルプリズム１１８の円錐の表面に到達するまでコニカルプリズム１１８を媒体にして第１伝搬方向に伝搬する。参照光は円錐の表面で屈折し、スネルの法則に従いながら、図１−Ｂに示すように、ホログラフィック媒体１２０に向かって第２伝搬方向に空気を媒体にして伝搬するような屈折参照光を生成する。
【００１２】
図１−Ｂにおいて、円錐の表面は、第１ハーフ円錐表面１１８ａと、第２ハーフ円錐表面１１８ｂとを含む。また、ホログラフィック媒体１２０は、第１ハーフ円錐表面１１８ａと同じ側に位置する第１ハーフ記録領域１２０ａａと、第２ハーフ円錐表面１１８ｂと同じ側に位置する第２ハーフ記録領域１２０ａｂとを含む。第１ハーフ参照光は、円形底部を通過後に第１ハーフ円錐表面１１８ａに伝達され、第２ハーフ記録領域１２０ａｂに向かって屈折させられる。第２ハーフ参照光は、円形底部を通過後に第２ハーフ円錐表面１１８ｂに伝達され、第１ハーフ記録領域１２０ａａに向かって屈折させられる。
【００１３】
したがって、図１−Ｂに示すように、ホログラフィック媒体１２０の付近では、屈折させられた第１ハーフ参照光及び屈折させられた第２ハーフ参照光は、中心部分が空であるような円錐シェルのビーム形状をなし、ホログラフィック媒体１２０に平行な平面でカットされた円錐シェルのビーム形状の断面は環状となり得る。
【００１４】
コニカルプリズム１１８の屈折率は１より大きいので、半径Ｗ１の参照光が円錐面１１８で屈折させられた後、参照光のサイズ（即ち参照光の環状断面の外径と内径の差の２分の１に相当するような参照光の幅）はＷ２まで小さくなる。
【００１５】
図１−Ｂに示すように、ホログラフィック媒体１２０の記録領域１２０ａのサイズ（即ち記録領域１２０ａの外径と内径との差の２分の１に相当する記録領域１２０ａの幅）がＷ３である場合、記録領域にデータを一度に記録するために、屈折させられた参照光のサイズＷ２をＷ３と等しいかそれ以上にする必要がある。
【００１６】
しかし、このような従来技術にはつぎのような問題点がある。
【００１７】
Ｗ２のサイズを有する屈折させられた参照光全体が、Ｗ３のサイズを有する記録領域１２０ａ上に照射されるように、コニカルプリズム１１８の円形底部の半径は、参照光の半径Ｗ１より若干大きい（ほぼ等しい）のが好ましい。しかし、円形底部の半径はＷ２よりも大きく、Ｗ２はＷ３と等しいかそれより大きいので、コニカルプリズム１１８のサイズ即ち円形底部の半径は記録領域１２０ａのサイズより大きくなければならない。したがって、コニカルプリズム１１８は大きくなり、従来のホログラフィックデジタルデータ記録システムは小型化ができない。
【発明の開示】
【発明が解決しようとする課題】
【００１８】
本発明は、前述したような従来の問題点を解決するためになされたものであり、コニカルプリズムなどの、ホログラフィックデジタルデータ記録システムの小型化を可能にするようなホログラフィック媒体にデジタルデータを記録するための装置及びその方法を提供することにその目的がある。
【課題を解決するための手段】
【００１９】
前記の目的を達成するために、本発明の一面によれば、信号光を変調して変調信号光を生成するためのマスクと、参照光を屈折させて屈折参照光を生成するための、円錐部及び底部を含むコニカルプリズムとを含むようなホログラフィック装置が提供される。ここで、屈折参照光は、ホログラフィック媒体内で変調信号光と干渉し、それによってホログラフィック媒体上にデータを記録する。底部は、ホログラフィック媒体に面している。
【００２０】
また、本発明の別の面によれば、レーザ光を放射する光源と、レーザ光を参照光と信号光に分けるビームスプリッタと、信号光を変調させて変調信号光を生成するマスクと、前記参照光を屈折させて屈折参照光を生成する屈折器とを含むようなホログラフィック装置が提供される。ここで、屈折参照光は、ホログラフィック媒体内で変調信号光と干渉し、それによってホログラフィック媒体上にデータを記録する。
【００２１】
また、本発明の更に別の面によれば、（ａ）レーザ光を発生させる過程と、（ｂ）レーザ光を参照光と信号光に分ける過程と、（ｃ）信号光を変調させて変調信号光を生成するとともに、参照光を屈折させて屈折参照光を生成する過程とを含むようなホログラフィーの方法が提供される。ここで、屈折参照光は、ホログラフィック媒体内で変調信号光と干渉し、それによってホログラフィック媒体上にデータを記録する。
【発明の効果】
【００２２】
以上のような本発明によるホログラフィック記録システムは、２回屈折する過程（two refraction procedure）により参照光のサイズが増大するので、コニカルプリズム及びコニカルプリズムに照射される参照光のサイズが従来技術のものと比べて小さくなる。したがって、本発明によると、ホログラフィック記録システムの小型化が可能である。
【発明を実施するための最良の形態】
【００２３】
以下、本発明を添付図面に基づいて詳細に説明する。
【００２４】
図２は本発明の好ましい実施例によるホログラフィック記録システム、例えばホログラフィックロムシステムを示す。同図に示すように、本発明のホログラフィック記録システムは、光源２００と、ＨＷＰ（１／２波長板）２０２、２１２と、光拡張器２０４と、ＰＢＳ（偏光ビームスプリッタ）２０６と、偏光器２０８、２１４と、ミラー２１０、２１６、２１７と、マスク２２２と、ホログラフィック媒体２２０と、コニカルプリズム２１８とを含む。
【００２５】
本発明のホログラフィック記録システムは、図１−Ａ及び図１−Ｂのコニカルプリズム１１８を代替するコニカルプリズム２１８を除き、図１−Ａ及び図１−Ｂに示す従来のホログラフィック記録システムと概ね同じである。本発明のホログラフィック記録システムのコニカルプリズム２１８を除くその他の部分の機能は従来技術と基本的に同じであるので、これらに関する詳細な説明は省略する。
【００２６】
図２に示すように、信号光は、信号光の光路即ちＳｐａｔｈに沿って順に配置されている偏光器２０８、ミラー２１０、マスク２２２を経てホログラフィック媒体２２０に照射され、参照光は反対側から、参照光の光路即ちＲｐａｔｈに沿って順に配置されているＨＷＰ２１２、偏光器２１４、ミラー２１６、ミラー２１７、コニカルプリズム２１８を経てホログラフィック媒体２２０に照射される。
【００２７】
コニカルプリズム２１８は、円錐と円形底部のなす底角が事前に定められているような、円形底部を有する円錐形状のものである。ここで、円形底部は、ホログラフィック媒体２２０に面し、好適にはホログラフィック媒体２２０に平行である。ホログラフィック媒体２２０は、好適にはＣＤのようなディスク形状を有する。すなわち、ホログラフィック媒体２２０は、図３−Ｂに示すように、その中心に孔領域２２０ｂが設けられ、孔領域２２０ｂの周囲に環状の記録領域２２０ａが設けられる。コニカルプリズム２１８の円形底部の直径は、光学的効率を最大にするために、孔領域２２０ｂの直径より小さくならないようにするのが好ましい。また、ホログラフィック媒体２２０の対称軸は、コニカルプリズム２１８の対称軸と一致し、コニカルプリズム２１８の頂点を通過する。
【００２８】
図３−Ａは、本発明の好適実施例に基づくコニカルプリズム２１８を透過する参照光の光路を示す。
【００２９】
半径Ｘ１の参照光は、円形底部の法線方向（第１伝搬方向）に伝搬し、コニカルプリズム２１８の円錐の表面に衝当する。その後、参照光は円錐の表面で屈折させられて、屈折参照光は次式１のスネルの法則に従いながらコニカルプリズムを媒体にして第２伝搬方向に伝搬する。
【００３０】
sinａ ＝ ｎsinｂ                            （式１）
ここで、コニカルプリズム２１８の媒質の屈折率を「ｎ」と定義し、空気の屈折率を１とする。「ａ」は、鋭角即ち９０°より小さい角度であるような底角を示す。「ａ」をコニカルプリズム２１８の底角と定義しているので、第１入射角、即ち参照光の第１伝搬方向と円錐の表面の法線（第１垂直方向）のなす角もまたａとなる（図３−Ａを参照）。さらに、鋭角ｂは、第１屈折角、即ち屈折参照光の第２伝搬方向と円錐の表面の法線（第１垂直方向）のなす角を示す。
【００３１】
その後、屈折参照光は、コニカルプリズム２１８の円形底部に到達するまでコニカルプリズム２１８を媒体にして第２伝搬方向にまっすぐの伝搬する。屈折参照光は、円形底部でもう一度屈折し、それによって２回屈折（twice-refracted）参照光を生成する。２回屈折参照光は、次式２のスネルの法則に従いながら、図３−Ｂに示すように、第３伝搬方向に空気を介してホログラフィック媒体２２０に伝搬する。
【００３２】
ｎsinｃ ＝ sinｄ                            （式２）
ここで、コニカルプリズム２１８の媒質の屈折率と空気の屈折率は、前述したようにそれぞれ「ｎ」と１である。鋭角「ｃ」は、第２入射角、即ち屈折参照光の第２伝搬方向と円形底部の法線（第２垂直方向）のなす角であり、鋭角「ｄ」は、第２屈折角、即ち２回屈折参照光の第３伝搬方向と円形底部の法線（第２垂直方向）のなす角である。
【００３３】
「ａ」、「ｂ」、「ｃ」は、図３−Ａから分かるように、次式３の関係を有する。
【００３４】
ｂ＋ｃ ＝ ａ                                （式３）
式１及び式３より次式が得られる。
【００３５】
ｂ ＝ sin−１（sin ａ／ｎ）                  （式４）
【００３６】
ｃ ＝ ａ−ｂ ＝ ａ−sin−１（sin ａ／ｎ）    （式５）
ここで、式４及び式５を式２に代入すると、次式６が得られる。
【００３７】
ｎsin｛ａ−sin―１（sinａ／ｎ）｝ ＝ sin ｄ
⇒ sin―１［ｎsin｛ａ−sin―１（sinａ／ｎ）｝］ ＝ ｄ  （式６）
したがって、式６に示すように、第２屈折角「ｄ」は、コニカルプリズム２１８の底角「ａ」を変化させることにより調節され得る。ホログラフィック媒体２２０への２回屈折参照光の入射角、即ち２回屈折参照光の第３伝搬方向とホログラフィック媒体２２０の表面の法線（第３垂直方向）のなす鋭角は、図３−Ｂに示すように、第２屈折角と同一であるので、ホログラフィック媒体２２０への２回屈折参照光の入射角も同様にコニカルプリズム２１８の底角「ａ」によって決定される。式６において、「ａ」は「sin―１（sinａ／ｎ）」より影響力が大きい要素であるので、「ａ」の増加に伴い「ｄ」も増加する。
【００３８】
図３−Ｂにおいて、半径Ｘ１の参照光がコニカルプリズム２１８の円錐の表面に照射される。円錐の表面は、第１ハーフ円錐表面２１８ａと、第２ハーフ円錐表面２１８ｂとを含む。また、ホログラフィック媒体２２０は、第１ハーフ円錐表面２１８ａと同じ側に位置する第１ハーフ記録領域２２０ａａと、第２ハーフ円錐表面２１８ｂと同じ側に位置する第２ハーフ記録領域２２０ａｂとを含む。第１ハーフ円錐表面２１８ａで屈折させられた第１ハーフ参照光は、円形底部でもう一度屈折させられて第２ハーフ記録領域２２０ａｂに与えられる。第２ハーフ円錐表面２１８ｂで屈折させられた第２ハーフ参照光は、円形底部でもう一度屈折させられて第１ハーフ記録領域２２０ａａに与えられる。
【００３９】
説明を簡単にするために、図３−Ｂに示すように、第２ハーフ参照光のみを考える。「ｎ」が１より大きいので、ホログラフィック媒体２２０に平行な平面でカットされた断面が半径Ｘ１の半円形であるような第２ハーフ参照光が第２ハーフ円錐表面２１８ｂで屈折させられた後、屈折させられた第２ハーフ参照光のサイズ（即ち幅）は、コニカルプリズム２１８の円形底部においてＸ２まで増大する。その後、Ｘ２のサイズの屈折させられた第２ハーフ参照光は、円形底部でもう一度屈折させられて、２回屈折させられた第２ハーフ参照光になる。２回屈折させられた第２ハーフ参照光は、ホログラフィック媒体２２０の第１ハーフ記録領域２２０ａ上に入射角「ｄ」で照射される。
【００４０】
ホログラフィック媒体２２０の記録領域２２０ａのサイズ（即ち記録領域２２０ａの外径と内径の差の２分の１に相当する記録領域２２０ａの幅）がＸ３である場合、記録領域２２０ａに一度にデータを記録するために、２回屈折させられた第２ハーフ参照光のサイズＸ２をＸ３と等しいかそれ以上にする必要がある。このとき、Ｘ１、Ｘ２、Ｘ３の関係は次式で表される。
【００４１】
Ｘ２ ＝ Ｘ１／cosｄ ＞ Ｘ３ 
⇒ ｄ ＜ cos−１（Ｘ１／Ｘ３）                （式７）
式７を式６に代入すると、次式８が得られる。
【００４２】
sin−１［ｎsin｛ａ−sin―１（sinａ／ｎ）｝］
＝ｄ ＜ cos−１（Ｘ１／Ｘ３）                （式８）
２回屈折参照光が照射されるホログラフィック媒体２２０上の位置は、コニカルプリズム２１８の円形底部とホログラフィック媒体２２０の間の距離Ｙによって変わり得る。円形底部の円周部を透過する２回屈折参照光の一部がホログラフィック媒体２２０の記録領域２２０ａと孔領域２２０ｂの間の境界上に照射されるようにするため、距離Ｙは次式で表すことができる。
【００４３】
Ｙ ＝ Ｘ２／tanｄ                          （式９）
したがって、２回屈折参照光の入射角「ｄ」も距離「Ｙ」によって決定される。
【００４４】
参照光全体がＸ３のサイズを有する記録領域２２０ａ上に照射されるように、コニカルプリズム２１８の円形底部の半径は、参照光の半径Ｘ１より若干大きい（ほぼ等しい）のが好ましい。
【００４５】
しかし、円形底部の半径はＸ２より小さく、Ｘ２は記録領域２２０ａのサイズより小さくないので、コニカルプリズム２１８のサイズ即ち円形底部の半径を記録領域２２０ａのサイズより大きくする必要がない。したがって、コニカルプリズム２１８のサイズをＸ３より小さくすることができ、それによってホログラフィック記録システムの小型化が可能である。
【００４６】
本発明を図１−Ｂの従来技術と比較すると、従来技術では、参照光はコニカルプリズム１１８で１回だけ屈折した後でコニカルプリズム１１８からホログラフィック媒体１２０に照射されるが、本発明では、参照光はコニカルプリズム２１８で２回屈折する。従来技術によれば、参照光のサイズは１回だけ屈折する過程により減少するので、コニカルプリズム１１８及びコニカルプリズム１１８に照射される参照光のサイズは本発明のものと比べて大きくなければならない。しかし、本発明によると、２回屈折する過程により参照光のサイズが増大するので、コニカルプリズム２１８及び参照光のサイズは従来技術のものと比べて小さくなり得る。したがって、本発明によれば、ホログラフィック記録システムのサイズをかなり小型化することができる。
【００４７】
これまで、本発明の好ましい実施例について説明したが、本発明から当業者により具現できる多様な修正及び変形も本発明に属するものである。
【図面の簡単な説明】
【００４８】
【図１−Ａ】従来の典型的なホログラフィック記録システムの概略構成図である。
【図１−Ｂ】図１−Ａのシステムにおいて、コニカルプリズムからホログラフィック媒体までの参照光の光路を示す図である。
【図２】本発明の好ましい実施例によるホログラフィック記録システムの概略構成図である。
【図３−Ａ】図２のシステムに設けられるコニカルプリズムを透過する参照光の光路を示す図である。
【図３−Ｂ】本発明の好適実施例によるコニカルプリズムからホログラフィック媒体までの参照光の光路を示す図である。
【符号の説明】
【００４９】
２００    光源
２０２、２１２    ＨＷＰ（１／２波長板）
２０４    光拡張器
２０６    ビームスプリッタ
２０８、２１４    偏光器
２１０、２１６、２１７    ミラー
２１８    コニカルプリズム
２２０    ホログラフィック媒体
２２２    マスク
【図１−Ａ】
2004334178.tif 000003
【図１−Ｂ】
2004334178.tif 000004
【図２】
2004334178.tif 000005
【図３−Ａ】
2004334178.tif 000006
【図３−Ｂ】
2004334178.tif 000007